(57)【要約】【課題】擬似餌付き釣針であるルアーは、サイズ、色、形、動きの視覚的改良、硬さ（材質）の触覚的改良、臭いを放出する嗅覚的改良等がなされ、集魚能力の優れたルアーになってきた。臭いを発するルアーに関しては、従来臭いの放出を制御する機能がなく、外的要因で臭いを放出するものであり、満足し得るものではなかった。【解決手段】前記課題を解決するための手段として、本発明は擬似餌の空洞内部にボタン電池、振動モーター及び臭いエキス充填袋から構成される臭い放出装置を付設することにより、サイズ、色、形、動き、硬さに加えて、該疑似餌に相当する臭いを電気制御により放出する機能を付与した。これにより、対象魚の好む餌として嗅覚刺激の効果が高まり集魚能力に優れるルアーとした。【選択図】図１
2005341826.tif 000002
【特許請求の範囲】
【請求項１】
軟質の合成樹脂製で実物と同等のサイズ、色、形及び硬さを有する擬似餌の内部空洞部にボタン電池、振動モーター及び臭いエキス充填袋からなる臭い放出装置を内蔵し、振動モーターの振動によって該擬似餌の臭いに相当する臭いエキスを放出する機能を有したルアー。
【請求項２】
擬似餌が海老、魚、ゴカイ、ミミズ、カエル、ウニ、サザエの身、イカ及びその他水棲生物の形態をしている請求項１記載のルアー。
【請求項３】
臭いエキス放出機構が振動モーターの振動を臭いエキス充填袋又は振動伝達羽根を介して臭いエキスに伝達し、臭いエキスが振動モーターの振動に連動して臭いエキス放出針の溝部を流れて擬似餌の外に少量ずつ放出される構造をしている請求項１及び請求項２記載のルアー。
【請求項４】
擬似餌が、内蔵している臭い放出装置の中央付近で開口し、臭い放出装置の取り出しや臭いエキスの補充を可能にした請求項１及び請求項２記載のルアー。
【請求項５】
振動モーターを駆動するスイッチが水中で導通する電極構造とし水中でのみモーターが駆動することを特徴とする請求項１及び請求項２記載のルアー。
【請求項６】
ネジ式の電池交換用キャップの開閉により、ボタン電池の交換を可能とした請求項１及び請求項２記載のルアー。
【発明の詳細な説明】
【技術分野】
【０００１】
本発明は、臭い放出機能を有するルアーに関するものである。
【背景技術】
【０００２】
擬似餌つきの釣針であるルアーはこれまでにも様々な製品が開発されている。これまでのサイズ、形、色、硬さ（材質）等の改良に動きの要素を付与した電動ルアー（例えば、特許文献１参照）、や臭いを発散する機能を有したもの（例えば、特許文献２、３参照）等がある。これらは、対象魚に対して生の餌であるように錯覚させ興味を引く様工夫されている。
【特許文献１】特許第２９５７９７３号公報
【特許文献２】特開２００１−６９８７７号公報
【特許文献３】特表２００１−５２５６７９号公報
【発明の開示】
【発明が解決しようとする課題】
【０００３】
擬似餌付き釣針であるルアーは、サイズ、色、形、動きの視覚的改良、硬さ（材質）の触覚的改良、臭いを放出する嗅覚的改良等がなされ、集魚能力の優れたルアーになってきた。臭いを発するルアーに関しては、従来臭いの放出を制御する機能がなく、擬似餌の内部に流入する水圧や魚が捕食する際の噛む圧力によって水中に放出される構造のものである。しかしながら、臭い放出型のルアーとしては、必要量の臭いが定常的に放出されることが望ましい。
【課題を解決するための手段】
【０００４】
前記課題を解決するための手段として、本発明は、擬似餌の空洞内部にボタン電池、振動モーター及び臭いエキス充填袋から構成される臭い放出装置を付設することにより、サイズ、色、形、動き、硬さに加えて、該疑似餌に相当する臭いを電気制御により放出する機能を付与した。これにより、対象魚の好む餌として嗅覚刺激の効果が高まり集魚能力に優れるルアーとした。
【発明の効果】
【０００５】
本発明のルアーは、従来からの視覚的擬似や触覚的擬似に加えて、嗅覚という魚類の餌探知の重要な能力に対しても擬似したものであり、ルアーに集まる魚が飛躍的に増え十分満足しうる釣果が得られる利点を有する。
【発明を実施するための最良の形態】
【０００６】
本発明を実施するための最良の形態を、擬似餌が海老である図１及び各部の詳細図である図９〜図１６を参照して説明する。本発明ルアーは、釣りを行なう際の対象魚が好む擬似餌１の内部空洞部に振動発生源である振動モーター７と駆動電源である微小ボタン電池４をカプセル３により封止し、このカプセルに臭いエキス充填袋９をネジ式で接合した臭い放出装置（図９）を内蔵する構造である。振動モーター７が発する振動は臭いエキス充填袋９又は振動伝達羽根２３を介して臭いエキス１５に伝達され、臭いエキス１５は振動モーター７の振動に連動して臭いエキス放出針１３の溝部２８を流れて擬似餌１の外部（水中）に少量ずつ放出される。
【０００７】
図２〜図８は各種の擬似餌の形態を表す概略断面図例であるが、構成は図１と同じである。
【０００８】
振動モーター７の駆動をスタートさせるスイッチは図１０に示すように電極が露出しており、ルアーが導電性を有する水中に没した時、駆動電力がＯＮとなり、振動モーター７が駆動する。振動モーターの駆動に伴い発する振動は臭いエキス充填袋９や振動伝達羽根２３を介して臭いエキス１５に伝達される。
【０００９】
振動モーター７と振動子８のバランスは目的とする対象魚の種別や臭い放出量に応じ又は電池の寿命を考慮し決定すればよい。また、ネジ式の電池交換用キャップ５は、これを開閉することによりにより、ボタン電池４の交換を可能にしている。
【００１０】
カプセル３と臭いエキス充填袋９はネジ接合とし臭いエキスを必要に応じて交換又は補充出来る構造とする。
【００１１】
臭いエキスの放出機構は、振動モーター７の振動が先ず臭いエキス充填袋９又は振動伝達羽根２３（図１５）に伝達され、これらを介して臭いエキス１５に伝達される。臭いエキス１５は自身の振動圧力により臭いエキス放出針１３の溝部２８よりを押し流され、臭いエキス充填袋補強板２４、疑似餌外殻補強板２５及び臭いエキス放出針固定パッキン２６で構成される臭いエキス放出口１２から放出される（図１１）。臭いエキス放出口１２は弾力性に優れるシリコン樹脂製とするのがよい。臭いエキス放出針１３は複雑形状錐構造（図１２）を採用することにより、振動サイクルに応じた必要量の臭いエキスを放出することを可能にした。本発明ルアーを水中から引き上げた時は、臭いエキス封じソケット１４（図１３）を臭いエキス放出口１２に差込み臭いエキスの漏出を防ぐようにする。封じソケット１４はエキス放出口１２に差込む際抵抗を小さくするようにエアー抜き溝２２を有している。
【００１２】
充填する臭いエキス１５は、魚が好む臭いがするものであれば何でもよい。例えば擬似餌が海老の場合は、海老の臭いの主成分であるトリメチルアミンを１０％程度に希釈したもの、又はこれに食品番号１０３６８番のおきあみの成分を希釈混合したものを使用してもよい。前記成分の割合は適宜変えて使用するのが良い。釣りの目的である対象魚の種類や擬似餌の種類に合わせて都度調整する必要がある。また、臭いエキスは擬似餌の本物生物をミンチ状にし、水や海水等と混合して液状又は軟質のスラリー状にしたものでもよい。この場合は、フィルターを通して固まりがない状態にして使用するのがよい。臭いエキス充填袋９は水洗いすることが可能であり、臭いエキスの注入又は洗浄の際は、専用のスポイトを使用する。
【００１３】
液状又は軟質のスラリー状臭いエキス１５は、専用のスポイトにより、弾力性を有した注入口１１から充填し封止栓２１を挿入し密封する（図１４）。
【００１４】
擬似餌接合具１６は図１６に示すように疑似餌内部にあるボタン電池４、臭いエキス充填袋９等で構成される臭い放出装置を、内蔵装置の中央付近で１８０゜程度開口し、取出すための開閉装置である。金属製の留治具を有し、また金属製のリング内側部分には、シリコン樹脂製等のパッキン２８を用いて水等の浸入を防ぐ構造を採用している。擬似餌接合具１６はハリス１８と疑似餌１を繋ぐ治具でもある。
【００１５】
臭いエキス封じソケット１４はシリコン樹脂製の臭いエキスの放出を止めるための治具であり、使用しない時は臭い袋本体に差込み、臭いエキス放出口１２の栓となる。使用時には、栓を外部へ優しくソケット部分を引出す。また水圧によりソケット部分が放出口をふさがないように臭いエキス放出口設置部の臭いエキス充填袋９には補強板２４を、疑似餌外殻には補強板２５を備えている。
【実施例】
【００１６】
本発明の詳細を実施例で説明する。本発明はこれら実施例によって何ら限定されるものではない。
【００１７】
鯛３匹を入れた横２ｍ高さ１ｍ奥行１ｍの水槽に、本発明の一つである形態が海老で全長４ｃｍサイズのルアーと現在市販されているボイルエビを挿入し、釣りをする要領で集魚効果確認実験を行なった。結果は、本発明の疑似餌の周りに鯛が寄ってきた。すなわち、魚はボイルエビより臭いを定期的に放出している方へ集まってくることが判った。また臭いエキスの放出量に及ぼす水圧の影響については、臭いエキス充填袋９に２ｇの臭いエキスを注入し、水深５メートルに本発明ルアーを沈めてスイッチを入れない時と入れた時の２つの条件で５分間臭いエキス放出試験を行なった。臭いエキスの放出量は、スイッチを入れていない時は、０．０１ｇ以下の放出であり、スイッチを入れた時は、約０．１ｇ放出した。本発明ルアーは、水深の影響を受けず機能することも証明された。
【図面の簡単な説明】
【００１８】
【図１】擬似餌形態が海老であるルアーの構成を示す概略断面図である。
【図２】擬似餌形態が魚であるルアーの構成を示す概略断面図である。
【図３】擬似餌形態がゴカイであるルアーの構成を示す概略断面図である。
【図４】擬似餌形態がミミズであるルアーの構成を示す概略断面図である。
【図５】擬似餌形態がカエルであるルアーの構成を示す概略断面図である。
【図６】擬似餌形態がウニであるルアーの構成を示す概略断面図である。
【図７】擬似餌形態がサザエの身であるルアーの構成を示す概略断面図である。
【図８】擬似餌形態がイカであるルアーの構成を示す概略断面図である。
【図９】臭い放出装置の概略図である
【図１０】電源スイッチ部（図９Ａ部）の概略構造図である。
【図１１】臭いエキスの放出口部（図９Ｂ部）の概略構造図である。
【図１２】臭いエキス放出針の拡大斜視図である。
【図１３】臭いエキス封じソケットの拡大図である。
【図１４】臭いエキス注入口部（図９Ｃ部）の概略構造図である。
【図１５】振動伝達羽根部（図９Ｄ部）の概略構造図である。
【図１６】開閉する擬似餌接合具の構成を示す概略図である。
【符号の説明】
【００１９】
１  擬似餌
２  釣り針
３  カプセル
４  ボタン電池
５  電池交換用キャップ
６  電池交換用キャップ接合ネジ部
７  振動モーター
８  振動子
９  臭いエキス充填袋
１０  臭いエキス充填袋接合ネジ部
１１  臭いエキス注入口
１２  臭いエキス放出口
１３  臭いエキス放出針
１４  臭いエキス封じソケット
１５  臭いエキス
１６  擬似餌接合具
１７  ハリス止め
１８  ハリス
１９  電極スイッチ
２０  水浸入防止ソケット
２１  封止栓
２２  エアー抜き溝
２３  振動伝達羽根
２４  臭いエキス充填袋補強板
２５  疑似餌外殻補強板
２６  臭いエキス放出針固定パッキン
２７  疑似餌接合具パッキン
２８  臭いエキス放出針溝部
２９  留治具
【図１】
2005341826.tif 000003
【図２】
2005341826.tif 000004
【図３】
2005341826.tif 000005
【図４】
2005341826.tif 000006
【図５】
2005341826.tif 000007
【図６】
2005341826.tif 000008
【図７】
2005341826.tif 000009
【図８】
2005341826.tif 000010
【図９】
2005341826.tif 000011
【図１０】
2005341826.tif 000012
【図１１】
2005341826.tif 000013
【図１２】
2005341826.tif 000014
【図１３】
2005341826.tif 000015
【図１４】
2005341826.tif 000016
【図１５】
2005341826.tif 000017
【図１６】
2005341826.tif 000018